(57)【要約】【課題】電気機器の設計段階で行う回路パターンの電流測定の準備に掛かる手間と時間を削減する電流測定方法を提供することである。【解決手段】電源回路基板３０とＡＶ回路基板３１と間の電力供給をフレキシブルフラットケーブル３６を用いて行うために両回路基板３０、３１にそれぞれ設けられたケーブル接続部３０ａ、３１ａと、１本ずつ分かれた複数の平行導体４２ａを有する治具４２のコネクタ４２ｂ、４２ｃとを、それぞれフレキシブルフラットケーブル３６、４３を介して接続し、平行導体４２ａを１本ずつ引き上げた状態で電流測定用のプローブを用いて電流値を測定する電流測定方法であって、ケーブル接続部３０ａ、３１ａのピン数よりも治具４２のコネクタ４２ｂ、４２ｃのピン数の方が多い構成とする。【選択図】図３
2008170380.tif 000002
【特許請求の範囲】
【請求項１】
映像音声記録再生装置の個々の回路パターンに流れる電流値を測定する電流測定方法において、
電源回路基板とＡＶ回路基板と間の電力供給をフレキシブルフラットケーブルを用いて行うために両回路基板にそれぞれ設けられたケーブル接続部と、１本ずつ分かれた複数の平行導体を有する治具のコネクタとを、それぞれフレキシブルフラットケーブルを介して接続し、前記平行導体を１本ずつ引き上げた状態で電流測定用のプローブを用いて電流値を測定する電流測定方法であって、前記ケーブル接続部のピン数よりも前記治具のコネクタのピン数の方が多いことを特徴とする電流測定方法。
【請求項２】
電気機器の個々の回路パターンに流れる電流値を測定する電流測定方法において、
回路基板間の電力供給をフレキシブルフラットケーブルを用いて行うために各回路基板にそれぞれ設けられたケーブル接続部に、１本ずつ分かれた複数の平行導体を有する治具の端部をそれぞれ接続し、前記平行導体を１本ずつ引き上げた状態で電流測定用のプローブを用いて電流値を測定することを特徴とする電流測定方法。
【請求項３】
前記治具の少なくとも一方の端部と前記ケーブル接続部との接続は、フレキシブルフラットケーブルを介して行うことを特徴とする請求項２記載の電流測定方法。
【請求項４】
前記治具の端部と前記ケーブル接続部との接続にはコネクタを用いることを特徴とする請求項２又は３記載の電流測定方法。
【請求項５】
前記ケーブル接続部のピン数よりも前記治具の端部のピン数の方が多いことを特徴とする請求項２〜４の何れかに記載の電流測定方法。
【請求項６】
前記回路基板は、電源回路基板、ＡＶ回路基板、デジタル回路基板、チューナ回路基板、ＤＶＤ回路基板又はＨＤＤ回路基板であることを特徴とする請求項２〜５の何れかに記載の電流測定方法。
【発明の詳細な説明】
【技術分野】
【０００１】
本発明は、電気機器の個々の回路パターンに流れる電流値を測定する電流測定方法に関する。
【背景技術】
【０００２】
近年、電気機器の発売サイクルは益々短くなっており、新製品を短期間で設計しなければならなくなっている。それには設計段階で効率よく作業する必要がある。設計段階で時間の掛かる作業の１つに、回路パターンの電流測定がある。この電流測定の結果は回路パターンの幅や各部品に必要な電流値を決定するのに用いられる。
【０００３】
通常、設計段階での電流測定は、回路基板上の銅箔パターンを切除し、切除後のパターンの端部同士をリードと半田でループ状に再度接続し、そのリード部分を電流測定用のプローブを用いて測定する手法で行われている。
【０００４】
また、導通検査の手法としては様々なものが提案されており、例えば特許文献１には、固定された接続端子間に、フレキシブルケーブルを接続し、導通及び耐圧検査を行うことが開示されている。また特許文献２には、フラットケーブルに信号線と中央が断線したアース線とが設けられた構成において、アース線の断線部分の被覆が切除されており、一枚の金属膜が全てのアース線と接触するように貼り付けられている構成が開示されている。この構成を用い、アース線両端部の導通状態を確認するだけで、アース線と金属膜の導通状態の検査を可能としている。また特許文献３には、フラットケーブルより細かく配列したコンタクトプローブを用いることにより、正確に位置合わせすることなくケーブルの導通試験を行うことが開示されている。
【特許文献１】特許３４１２３９４号公報
【特許文献２】特許３３７１７７８号公報
【特許文献３】特開平１１−２０１９８９号公報
【発明の開示】
【発明が解決しようとする課題】
【０００５】
しかしながら、上記の銅箔パターンを１本ずつ切除してリードを接続する手法では、銅箔パターンを１本ずつ加工しなければならないため、測定の準備に非常に手間と時間が掛かる。また上記の特許文献１〜３の手法では、回路パターンに流れる電流値を１本ずつ個別に測定することはできない。
【０００６】
本発明は、電気機器の設計段階で行う回路パターンの電流測定の準備に掛かる手間と時間を削減する電流測定方法を提供することを目的とする。
【課題を解決するための手段】
【０００７】
上記目的を達成するために本発明は、電気機器の個々の回路パターンに流れる電流値を測定する電流測定方法において、回路基板間の電力供給をフレキシブルフラットケーブルを用いて行うために各回路基板にそれぞれ設けられたケーブル接続部に、１本ずつ分かれた複数の平行導体を有する治具の端部をそれぞれ接続し、前記平行導体を１本ずつ引き上げた状態で電流測定用のプローブを用いて電流値を測定することを特徴とする。
【０００８】
上記の電流測定方法において、回路基板のケーブル接続部にフレキシブルフラットケーブルが接続される仕様の場合は、前記治具の少なくとも一方の端部と前記ケーブル接続部との接続は、フレキシブルフラットケーブルを介して行ってもよい。
【０００９】
また上記の電流測定方法において、接続を容易にするために、前記治具の端部と前記ケーブル接続部との接続にはコネクタを用いてもよい。
【００１０】
また上記の電流測定方法において、治具の汎用性の観点から、前記ケーブル接続部のピン数よりも前記治具の端部のピン数の方が多いことが望ましい。
【００１１】
また上記の電流測定方法において、前記回路基板は、例えば、電源回路基板、ＡＶ回路基板、デジタル回路基板、チューナ回路基板、ＤＶＤ回路基板又はＨＤＤ回路基板である。
【００１２】
本発明を具体化すると、映像音声記録再生装置の個々の回路パターンに流れる電流値を測定する電流測定方法において、電源回路基板とＡＶ回路基板と間の電力供給をフレキシブルフラットケーブルを用いて行うために両回路基板にそれぞれ設けられたケーブル接続部と、１本ずつ分かれた複数の平行導体を有する治具のコネクタとを、それぞれフレキシブルフラットケーブルを介して接続し、前記平行導体を１本ずつ引き上げた状態で電流測定用のプローブを用いて電流値を測定する電流測定方法であって、前記ケーブル接続部のピン数よりも前記治具のコネクタのピン数の方が多い構成とする。
【発明の効果】
【００１３】
本発明によれば、電気機器の設計段階で行う回路パターンの電流測定を治具を用いて行うことにより、従来のように回路基板上のパターンを切除し、切除後のパターンの端部同士をリードと半田でループ状に再度接続する必要がなく、電流測定の準備に掛かる手間と時間を削減することができる。
【発明を実施するための最良の形態】
【００１４】
以下、電気機器である映像音声記録再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。図１において各部の接続線は信号線を示している。ＨＤＤ一体型光ディスク装置１０には、テレビ等の表示装置１１が接続されている。またＨＤＤ一体型光ディスク装置１０は、リモコン１３によって操作可能である。以下では、光ディスクとしてＤＶＤを例に説明する。
【００１５】
ＨＤＤ一体型光ディスク装置１０は、アンテナ１５で受信したテレビ放送信号を復調、デジタル化するチューナ１６と、チューナ１６から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、画像音声圧縮伸長部１７からの画像信号をアナログ化し、表示装置１１へ出力する画像出力部２１と、画像音声圧縮伸長部１７からの音声信号をアナログ化し、表示装置１１へ出力する音声出力部２２と、ＲＯＭやＲＡＭからなるメモリ２３と、リモコン１３からの信号を受信するリモコン受信部２４と、電力を供給する電源部２５と、ＨＤＤ一体型光ディスク装置１０の各部を制御する制御部２６とを備えている。
【００１６】
図２は、ＨＤＤ一体型光ディスク装置１０に搭載される回路基板及びそれらを接続するフレキシブルフラットケーブル（以下、ＦＦＣと記す）を示す模式図である。図２では図１の信号線は省略してある。ＨＤＤ一体型光ディスク装置１０には回路基板として、電源回路基板３０、ＡＶ回路基板３１、ＡＶ回路基板３１上にデジタル回路基板３２、ＡＶ回路基板３１上にチューナ回路基板３３、ＤＶＤ回路基板３４及びＨＤＤ回路基板３５が搭載されている。
【００１７】
そして、電源回路基板３０によって電源部２５が、ＡＶ回路基板３１によって画像出力部２１、音声出力部２２及びリモコン受信部２４が、デジタル回路基板３２によって画像音声圧縮伸長部１７、メモリ２３及び制御部２６が、チューナ回路基板３３によってチューナ１６が、ＤＶＤ回路基板３４によってＤＶＤ記録再生部１９が、ＨＤＤ回路基板３５によってＨＤＤ記録再生部１８が、それぞれ駆動される。
【００１８】
また、電源回路基板３０とＡＶ回路基板３１との間、ＡＶ回路基板３１とデジタル回路基板３２との間、デジタル回路基板３２とＤＶＤ回路基板３４との間、ＡＶ回路基板３１とチューナ回路基板３３との間、ＡＶ回路基板３１とＨＤＤ回路基板３５との間が、それぞれＦＦＣ３６〜４０によって接続されている。
【００１９】
ＦＦＣ３６〜４０は、複数（例えば２０〜３０）の平行導体（リード線）がフレキシブルな樹脂で覆われたケーブルであり、回路基板間の電力供給を担っている。ＦＦＣのそれぞれのリード線は回路基板上のそれぞれの銅箔パターン（回路パターン）に接続されている。
【００２０】
ところで、図２のような回路を設計する段階で回路パターンの電流測定が必要となる。この電流測定の結果は回路パターンの幅や各部品に必要な電流値を決定するのに用いられる。以下、この電流測定方法について、電源回路基板３０とＡＶ回路基板３１との間の電流測定方法を例に詳しく説明するが、他の回路基板間の電流測定方法も同様である。
【００２１】
図３は、電源回路基板３０とＡＶ回路基板３１との間の電流測定方法を説明する図である。電源回路基板３０のケーブル接続部３０ａにはＦＦＣ３６の一端３６ａに並んだピンが半田などで接続されている。ＦＦＣ３６の他端３６ｂにはコネクタへ接続するためのピンが並んでいる。一方、ＡＶ回路基板３１のケーブル接続部３１ａにはＦＦＣを接続するためのコネクタ３１ｂが接続されている。
【００２２】
製品では上記の構成においてＦＦＣ３６の他端３６ｂとコネクタ３１ｂとが接続され、電源回路基板３０からＡＶ回路基板３１側へ電力が供給される。しかし、図３では、回路設計段階で回路パターンの電流値を測定するために、ＦＦＣ３６の他端３６ｂとコネクタ３１ｂとの間に治具４２とＦＦＣ４３とを接続している。
【００２３】
治具４２は、１本ずつ分かれた複数の平行導体（リード線）４２ａと、リード線４２ａの両端部に接続されたコネクタ４２ｂ、４２ｃとから構成される。リード線４２ａとしては、例えば銅線を樹脂で覆ったものを用いることが、リード線４２ａどうしの短絡を防止する観点から好ましい。またリード線４２ａは１本ずつ引き上げることができるのに十分な長さとする。
【００２４】
ＦＦＣ４３は、その両端４３ａ、４３ｂはコネクタに接続するためのピンが並んだ形状をしている。そして、治具４２の一方のコネクタ４２ｂがＦＦＣ３６の他端３６ｂに、治具４２の他方のコネクタ４２ｃがＦＦＣ４３の一端４３ａに、ＦＦＣ４３の他端４３ｂがコネクタ３１ｂにそれぞれ接続される。
【００２５】
このように、電源回路基板３０とＡＶ回路基板３１とが接続された状態で、リード線４２ａを１本ずつ引き上げ、電流測定用のプローブ（不図示）を用いて電流値を測定する。具体的には、リード線４２ａを１本だけ引き上げてプローブでその磁束を検出して電流値を算出している。この測定をそれぞれのリード線４２ａについて行うことにより、それぞれのリード線４２ａが接続されている回路パターンにどれくらいの電流が流れているかがわかる。その結果から、回路パターンの幅を決定したり、各部品（ダイオード、トランス、コイルなど）に必要な電流値を決定したりして、回路基板の設計を行う。例えば、過大な電流が流れていれば、回路パターンの幅を広げたり、その回路パターン上の部品を電流値の高いものに変更したりすればよい。
【００２６】
以上のように、電気機器の設計段階で行う回路パターンの電流測定を治具４２を用いて行うことにより容易に電流測定でき、従来のように回路基板上のパターンを切除し、切除後のパターンの端部同士をリードと半田でループ状に再度接続する必要がなく、電流測定の準備に掛かる手間と時間を削減することができる。
【００２７】
なお、上記の実施形態においては、ケーブル接続部３０ａのピン数よりも治具４２の端部のピン数の方が多ければよい。つまり、ＦＦＣ３６の他端３６ｂのピン数よりも治具４２のリード線４２ａの本数が多ければよい。これにより、治具４２はそのリード線４２ａの本数以下のピン数のＦＦＣに接続して電流測定することができるので、汎用性があり使い勝手が向上する。
【００２８】
また、上記の実施形態においては、治具４２の両端部をコネクタ４２ｂ、４２ｃとしたが、各回路基板のケーブル接続部の形状を考慮し、一方の端部をピン形状としてもよいし、両端部をピン形状としてもよい。一方の端部をピン形状とすれば、図３においてＦＦＣ４３を省略して治具のピンを直接ＡＶ回路基板３１のコネクタ３１ｂに接続する構成となる。また両端部をピン形状とすれば、図３において電源回路基板３０のケーブル接続部３０ａにコネクタを接続し、ＦＦＣ３６、４３を省略する構成となる。すなわち、各回路基板にそれぞれ設けられたケーブル接続部に、治具の端部を直接又は間接的にそれぞれ接続できればよい。
【産業上の利用可能性】
【００２９】
本発明の電流測定方法は、映像音声記録再生装置をはじめとする電気機器であって、ＦＦＣで接続される複数の回路基板を備えたものの設計に利用することができる。
【図面の簡単な説明】
【００３０】
【図１】ＨＤＤ一体型光ディスク装置の構成及びその周辺機器を示すブロック図である。
【図２】ＨＤＤ一体型光ディスク装置に搭載される回路基板及びそれらを接続するＦＦＣを示す模式図である。
【図３】電源回路基板とＡＶ回路基板との間の電流測定方法を説明する図である。
【符号の説明】
【００３１】
１０    ＨＤＤ一体型光ディスク装置（電気機器）
３０    電源回路基板
３０ａ、３１ａ    ケーブル接続部
３１    ＡＶ回路基板
３１ｂ、４２ｂ、４２ｃ    コネクタ
３２    デジタル回路基板
３３    チューナ回路基板
３４    ＤＶＤ回路基板
３５    ＨＤＤ回路基板
３６〜４０、４３    ＦＦＣ
４２    治具
４２ａ    平行導体（リード線）
【図１】
2008170380.tif 000003
【図２】
2008170380.tif 000004
【図３】
2008170380.tif 000005